(57)【要約】  ３ＧＰＰ  ＱｏＳパラメータのＩＥＥＥ８０２．２１  ＭＩＨリンクＱｏＳパラメータへの詳細なＱｏＳパラメータマッピングを開示する。この詳細なマッピングは、サポートされる３ＧＰＰ  ＱｏＳクラス（会話型、ストリーミング、対話型、およびバックグラウンド）を示すＩＥＥＥ８０２．２１  Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）パラメータを含む。ＩＥＥＥ８０２．２１  ＭＩＨ能力のあるネットワークは、この詳細なマッピングを使用して、アクセス間のモビリティ管理を改善することができる。詳細なＱｏＳパラメータのマッピングを行う能力のある無線送受信ユニット（ＷＴＲＵ）、アクセス・ポイント、および他のネットワーク・インフラもまた開示される。
2010529815.tif 000002
【特許請求の範囲】
【請求項１】
複数の第３世代パートナーシップ・プロジェクト（３ＧＰＰ）サービス品質（ＱｏＳ）パラメータを含む３ＧＰＰ  ＱｏＳ情報要素を受信するように構成されるプロセッサーと、
前記複数の３ＧＰＰ  ＱｏＳパラメータを複数のＩＥＥＥ８０２．２１リンクＱｏＳパラメータにマップするように構成されたメディア無依存ハンドオーバー（ＭＩＨ）機能と
を備えたことを特徴とする無線送受信ユニット（ＷＴＲＵ）。
【請求項２】
前記プロセッサーは、複数のＩＥＥＥ８０２．２１リンクＱｏＳパラメータを含むＩＥＥＥ８０２．２１リンクＱｏＳパラメータＩＥを受信するようにさらに構成され、前記ＭＩＨ機能は、前記複数のＩＥＥＥ８０２．２１リンクＱｏＳパラメータを複数の３ＧＰＰ  ＱｏＳパラメータにマップするようにさらに構成されたことを特徴とする請求項１に記載のＷＴＲＵ。
【請求項３】
会話ＱｏＳクラス、ストリーミングＱｏＳクラス、対話型ＱｏＳクラス、またはバックグラウンドＱｏＳクラスを示す第３世代パートナーシップ・プロジェクト（３ＧＰＰ）サービス品質（ＱｏＳ）パラメータを、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータとマップするように構成されたメディア無依存ハンドオーバー（ＭＩＨ）機能
を備えたことを特徴とする無線送受信ユニット（ＷＴＲＵ）。
【請求項４】
前記ＭＩＨ機能は、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータを、スループットＩＥＥＥ８０２．２１リンクＱｏＳパラメータとマップするようにさらに構成されたことを特徴とする請求項３に記載のＷＴＲＵ。
【請求項５】
前記ＭＩＨ機能は、会話型ＱｏＳクラスまたはストリーミングＱｏＳクラスに関連付けられた上りリンク／下りリンクに対する保証ビットレート３ＧＰＰ  ＱｏＳパラメータを、スループットＩＥＥＥ８０２．２１リンクＱｏＳパラメータとマップするようにさらに構成されたことを特徴とする請求項３に記載のＷＴＲＵ。
【請求項６】
前記ＭＩＨ機能は、サービス・データ・ユニット（ＳＤＵ）誤り比率３ＧＰＰ  ＱｏＳパラメータおよび残存ビット誤り率３ＧＰＰ  ＱｏＳパラメータを、リンク・パケット誤り率ＩＥＥＥ８０２．２１リンクＱｏＳパラメータとマップするようにさらに構成されたことを特徴とする請求項５に記載のＷＴＲＵ。
【請求項７】
前記ＭＩＨ機能は、会話型ＱｏＳクラスまたはストリーミングＱｏＳクラスに関連付けられた転送遅延３ＧＰＰ  ＱｏＳパラメータを、ＣｏＳ最小パケット転送遅延ＩＥＥＥ８０２．２１リンクＱｏＳパラメータとマップするようにさらに構成されたことを特徴とする請求項６に記載のＷＴＲＵ。
【請求項８】
前記ＭＩＨ機能は、会話型ＱｏＳクラスまたはストリーミングＱｏＳクラスに関連付けられた転送遅延３ＧＰＰ  ＱｏＳパラメータを、ＣｏＳ平均パケット転送遅延ＩＥＥＥ８０２．２１リンクＱｏＳパラメータとマップするようにさらに構成されたことを特徴とする請求項７に記載のＷＴＲＵ。
【請求項９】
前記ＭＩＨ機能は、会話型ＱｏＳクラスまたはストリーミングＱｏＳクラスに関連付けられた最大転送遅延３ＧＰＰ  ＱｏＳパラメータを、ＣｏＳ最大パケット転送遅延ＩＥＥＥ８０２．２１リンクＱｏＳパラメータとマップするようにさらに構成されたことを特徴とする請求項８に記載のＷＴＲＵ。
【請求項１０】
前記ＭＩＨ機能は、ストリーミングＱｏＳクラスに関連付けられた遅延変動３ＧＰＰ  ＱｏＳパラメータを、ＣｏＳパケット転送遅延ジッターＩＥＥＥ８０２．２１リンクＱｏＳパラメータとマップするようにさらに構成されたことを特徴とする請求項９に記載のＷＴＲＵ。
【請求項１１】
前記ＭＩＨ機能は、残存ビット誤り率３ＧＰＰ  ＱｏＳパラメータを、ＣｏＳパケット損失率ＩＥＥＥ８０２．２１リンクＱｏＳパラメータとマップするようにさらに構成されたことを特徴とする請求項１０に記載のＷＴＲＵ。
【請求項１２】
複数の３ＧＰＰ  ＱｏＳパラメータを含む３ＧＰＰ情報要素、およびＩＥＥＥ８０２．２１リンクＱｏＳパラメータを含むＩＥＥＥ８０２．２１  ＩＥを受信するように構成された受信機
をさらに備えたことを特徴とする請求項３に記載のＷＴＲＵ。
【請求項１３】
複数の３ＧＰＰ  ＱｏＳパラメータを含む３ＧＰＰ情報要素、およびＩＥＥＥ８０２．２１リンクＱｏＳパラメータを含むＩＥＥＥ８０２．２１  ＩＥを送信するように構成された送信機
をさらに備えたことを特徴とする請求項３に記載のＷＴＲＵ。
【発明の詳細な説明】
【技術分野】
【０００１】
開示の主題は、無線通信に関する。より詳しくは、リンク層サービス品質（Ｑｕａｌｉｔｙ  ｏｆ  Ｓｅｒｖｉｃｅ：ＱｏＳ）パラメータのマッピングに関する。
【背景技術】
【０００２】
ＩＥＥＥ８０２．２１メディア無依存ハンドオーバー（Ｍｅｄｉａ  Ｉｎｄｅｐｅｎｄｅｎｔ  Ｈａｎｄｏｖｅｒ：ＭＩＨ）標準は、相互アクセス技術モビリティ管理の実行および管理の際に役立つ機構および手順を規定する。ＩＥＥＥ８０２．２１は、Ｍｏｂｉｌｉｔｙ  Ｍａｎａｇｅｍｅｎｔ（モビリティ管理）アプリケーションに利用可能な３つの主要なサービスを規定する。図１を参照すると、これらのサービスは、Ｅｖｅｎｔ  Ｓｅｒｖｉｃｅ（イベント・サービス）１００、Ｉｎｆｏｒｍａｔｉｏｎ  Ｓｅｒｖｉｃｅ（情報サービス）１０５、およびＣｏｍｍａｎｄ  Ｓｅｒｖｉｃｅ（コマンド・サービス）１１０である。これらのサービスは、メディア無依存ハンドオーバー機能（Ｍｅｄｉａ  Ｉｎｄｅｐｅｎｄｅｎｔ  Ｈａｎｄｏｖｅｒ  Ｆｕｎｃｔｉｏｎ：ＭＩＨＦ）１２５を介して下位層１１５から上位層１２０へ情報およびトリガーを、ならびに上位層１２０から下位層１１５へ下位層コマンドを提供することによって、ハンドオーバーオペレーション、システムディスカバリー、およびシステム選択の管理の際に役立つ。図１は、ＭＩＨＦ１２５をプロトコル・スタックにおける中間層として示しているが、ＭＩＨＦ１２５はまた、技術に特有のプロトコル・スタックの各層およびあらゆる層と情報およびトリガーを直接的に交換する能力のあるＭＩＨプレーン（ｐｌａｎｅ）として実施することができる。
【０００３】
イベントは、物理層、データ・リンク層、および論理リンク層の状態および伝送ビヘイビア（ｂｅｈａｖｉｏｒ）における変化を示し、またはこれらの層の状態変化を予測することができる。Ｅｖｅｎｔ  Ｓｅｒｖｉｃｅ（イベント・サービス）１００はまた、ネットワークの部分または管理エンティティに関する管理アクションまたはコマンドステータスを示すために使用することができる。コマンド・サービス１１０は、上位層が物理層、データ・リンク層、および論理リンク層（集合的に下位層と称する）を制御することを可能にする。上位層は、ハンドオーバー・コマンドのセットを通して適切なリンクの再構成または選択を制御することができる。ＭＩＨＦがコマンド・サービスをサポートする場合には、本来はすべてのＭＩＨコマンドが必須である。ＭＩＨＦはコマンドを受信すると、常にそのコマンドを実行することを期待される。Ｉｎｆｏｒｍａｔｉｏｎ  Ｓｅｒｖｉｃｅ（情報サービス）１０５は、ＭＩＨＦエンティティがハンドオーバーを容易にするために地理的領域内に存在するネットワーク情報をディスカバーし、獲得することができるフレームワークおよび対応する機構を提供する。
【０００４】
ＩＥＥＥ８０２．２１はまた、種々のリンク層技術の間でメディア無依存ハンドオーバーを可能にし、強化することを助ける機能性の一貫したセットを提供する。ＩＥＥＥ８０２．２１は、転送速度（スループット）、パケット転送遅延、パケット損失、および同様のものなどの特定のリンク層技術の性能の質的尺度を提供するサービス品質（Ｑｕａｌｉｔｙ  ｏｆ  Ｓｅｒｖｉｃｅ：ＱｏＳ）パラメータを規定する。
【０００５】
現在ＩＥＥＥ８０２．２１は、ＩＥＥＥ８０２．２１によって定義されたＱｏＳリンク・パラメータ、およびＩＥＥＥ８０２．１６、３ＧＰＰ、および３ＧＰＰ２を含む様々なリンク層技術の対応するＱｏＳリンク・パラメータから構成されるマッピングテーブルを規定している。各リンク層技術は、それゆえＩＥＥＥ８０２．２１  ＱｏＳパラメータとは異なり、互いに異なるＱｏＳパラメータの特定のセットを有する。
【発明の概要】
【発明が解決しようとする課題】
【０００６】
表１は、様々な無線アクセス技術の間の一例のサービス・リンク・パラメータのマッピングを示している。例として、ＩＥＥＥ８０２．２１のＱｏＳパラメータがＩＥＥＥ８０２．１６および３ＧＰＰ  ＱｏＳパラメータにマップされる。現在のＩＥＥＥ８０２．２１標準のパラメータのマッピングは、非３ＧＰＰ技術に対する合理的で３ＧＰＰ等価なＱｏＳを提供するための十分な詳細を欠いている。
【０００７】
【表１】
2010529815.tif 000003
【課題を解決するための手段】
【０００８】
非３ＧＰＰアクセス技術に対する３ＧＰＰ等価なＱｏＳを提供するための、３ＧＰＰ  ＱｏＳパラメータのＩＥＥＥ８０２．２１  ＭＩＨリンクＱｏＳパラメータへのＱｏＳパラメータマッピングを開示する。このマッピングは、サポートされる３ＧＰＰ  ＱｏＳのクラス（会話型、ストリーミング、対話型、およびバックグラウンド）を示すＩＥＥＥ８０２．２１のＳｕｐｐｏｒｔｅｄ  Ｎｕｍｂｅｒ  ｏｆ  Ｃｌａｓｓ  ｏｆ  Ｓｅｒｖｉｃｅ（ＣｏＳ）（サポートされるＣｏＳの数）を含む。ＩＥＥＥ８０２．２１  ＭＩＨ能力のあるネットワークは、例えば、このマッピングを使用して、アクセス無依存のモビリティ管理を改善することができる。
例として与えられ、添付の図面と併せて理解されるべき以下の説明から、本発明のより詳細な理解を得ることができる。
【図面の簡単な説明】
【０００９】
【図１】先行技術によるＩＥＥＥ８０２．２１プロトコル・アーキテクチャを示す図である。
【図２】３ＧＰＰのＩＥ情報要素（Ｉｎｆｏｒｍａｔｉｏｎ  Ｅｌｅｍｅｎｔ：ＩＥ）中に含まれる３ＧＰＰ  ＱｏＳパラメータをＩＥＥＥ８０２．２１リンクＱｏＳパラメータにマップする方法のフロー図である。
【図３】ＩＥＥＥ８０２．２１リンクＱｏＳパラメータを３ＧＰＰ  ＱｏＳパラメータにマップする方法のフロー図である。
【図４】明細書に開示された３ＧＰＰ  ＱｏＳパラメータおよびＩＥＥＥ８０２．２１リンクＱｏＳパラメータをマップするように構成されたＷＴＲＵおよびアクセス・ポイントを示す図である。
【発明を実施するための形態】
【００１０】
明細書で参照されるとき、用語「無線送受信ユニット（Ｗｉｒｅｌｅｓｓ  Ｔｒａｎｓｍｉｔ  Ｒｅｃｅｉｖｅ  Ｕｎｉｔ：ＷＴＲＵ）」は、限定されないが、ユーザー機器（Ｕｓｅｒ  Ｅｑｕｉｐｍｅｎｔ：ＵＥ）、移動局、固定または移動の加入者ユニット、メッシュ・ノード、ページャー、セルラー電話、パーソナルデジタルアシスタント（Ｐｅｒｓｏｎａｌ  Ｄｉｇｉｔａｌ  Ａｓｓｉｓｔａｎｔ：ＰＤＡ）、コンピューター、または無線環境において動作する能力のある他の任意のタイプのユーザー・デバイスを含む。これ以後参照されるとき、用語「アクセス・ポイント（Ａｃｃｅｓｓ  Ｐｏｉｎｔ：ＡＰ）」は、限定されないが、ノードＢ（Ｎｏｄｅ−Ｂ）、サイトコントローラ、基地局、または無線環境において動作する能力のある他の任意のタイプのインターフェイス・デバイスを含む。
【００１１】
アクセス無依存のモビリティ管理を容易にするために、ＩＥＥＥ８０２．２１リンクＱｏＳパラメータは第３世代パートナーシップ・プロジェクト（３ＧＰＰ）ＱｏＳパラメータにマップされる。３ＧＰＰアクセス・ネットワーク（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）などの）において動作するＷＴＲＵは、通常のオペレーションおよびアクセス・システム内のモビリティのために３ＧＰＰ  ＱｏＳパラメータを利用することができる。外部のネットワークとのモビリティ管理のために、詳細な３ＧＰＰ  ＱｏＳパラメータは、下の表２に従ってＩＥＥＥ８０２．２１リンクＱｏＳパラメータにマップされる。種々のＱｏＳパラメータを有する外部のネットワークは、次いで、例えばシステム間ハンドオーバーなどのモビリティ管理のために、ＩＥＥＥ８０２．２１リンクＱｏＳパラメータを利用することができる。マッピングは双方向であり、これはアクセス・システム・アーキテクチャおよびモビリティ・シナリオ保証として下の表２に従って、ＩＥＥＥ８０２．２１リンクＱｏＳパラメータを３ＧＰＰ  ＱｏＳパラメータにマップすることができ、３ＧＰＰ  ＱｏＳパラメータをＩＥＥＥ８０２．２１リンクＱｏＳパラメータにマップすることができることを意味する。
【００１２】
【表２】
2010529815.tif 000004
【００１３】
ＩＥＥＥ８０２．２１リンクＱｏＳパラメータは、サポートされるサービス・クラス（ＣｏＳ）の数パラメータ、スループット・パラメータ、リンク・パケット誤り率パラメータ、ＣｏＳパケット転送遅延パラメータ、ＣｏＳ平均パケット転送遅延パラメータ、ＣｏＳ最大パケット転送遅延パラメータ、ＣｏＳパケット転送遅延ジッター・パラメータ、およびＣｏＳパケット損失率パラメータを含む。サポートされるＣｏＳの数パラメータは、サポートされる弁別可能なサービス・クラスの最大数を示す。スループット・パラメータは、通信リンクのデータレートに関連付けられた様々なメトリックスを示す。ＣｏＳパケット転送遅延パラメータは、対象のクラス・ポピュレーション（ｃｌａｓｓ  ｐｏｐｕｌａｔｉｏｎ）に対する最小遅延として定義された、すべてのＣｏＳについての最小のパケット転送遅延を示す。ＣｏＳ平均パケット転送遅延パラメータは、対象のクラス・ポピュレーションに対する遅延の算術平均として定義された、すべてのＣｏＳについての平均パケット転送遅延を示す。ＣｏＳ最大パケット転送遅延パラメータは、対象のクラス・ポピュレーションに対する最大遅延として定義された、すべてのＣｏＳについての最大パケット転送遅延を示す。ＣｏＳパケット転送遅延ジッター・パラメータは、対象のクラス・ポピュレーションに対する遅延の標準偏差として定義された、すべてのＣｏＳについてのパケット転送遅延ジッターを示す。ＣｏＳパケット損失率パラメータは、対象のクラス・ポピュレーションに対する、送信されたが受信されていないフレームの数および送信されたフレームの総数の間の比率として定義された、すべてのＣｏＳについてのパケット損失率を示す。
【００１４】
依然として上の表２を参照して、３ＧＰＰ  ＱｏＳパラメータは、３ＧＰＰによって定義された４つのＣｏＳ：会話型、ストリーミング、対話型、およびバックグラウンド、の内の少なくとも１つに関連付けられる。ある３ＧＰＰ  ＱｏＳパラメータは、１つか２つのＣｏＳにのみ関連付けられる。例えば３ＧＰＰ遅延変動ＱｏＳパラメータは、３ＧＰＰのストリーミングＣｏＳにのみ関連付けられる。もちろん、多くの３ＧＰＰパラメータが、すべての４つのＣｏＳについて定義され、適用可能である。
【００１５】
図２は、３ＧＰＰ  ＱｏＳ  ＩＥに含まれる３ＧＰＰ  ＱｏＳパラメータをＩＥＥＥ８０２．２１リンクＱｏＳパラメータにマップするための方法２００である。最初に、マッピング・エンティティは３ＧＰＰ  ＱｏＳ  ＩＥを受信する（ステップ２１０）。マッピング・エンティティは次に、３ＧＰＰ  ＱｏＳ  ＩＥに含まれる受信３ＧＰＰ  ＱｏＳパラメータをＩＥＥＥ８０２．２１リンクＱｏＳパラメータにマップする（ステップ２２０）。このマッピングは、上の表２に従って行うことができる。最後にマッピング・エンティティは、マップされたＩＥＥＥ８０２．２１リンクＱｏＳパラメータを含むＩＥＥＥ８０２．２１リンクＱｏＳパラメータ  ＩＥを出力する（ステップ２３０）。マッピング・エンティティは、メディア無依存ハンドオーバー機能（Ｍｅｄｉａ  Ｉｎｄｅｐｅｎｄｅｎｔ  Ｈａｎｄｏｖｅｒ  Ｆｕｎｃｔｉｏｎ：ＭＩＨＦ）または同様のものなどの、任意のエンティティであることができる。
【００１６】
図３は、ＩＥＥＥ８０２．２１リンクＱｏＳパラメータを３ＧＰＰ  ＱｏＳパラメータにマップするための方法３００である。最初に、マッピング・エンティティは、ＩＥＥＥ８０２．２１リンクＱｏＳパラメータＩＥを受信する（ステップ２１０）。マッピング・エンティティは次に、ＩＥＥＥ８０２．２１リンクＱｏＳパラメータＩＥに含まれる受信ＩＥＥＥ８０２．２１リンクＱｏＳパラメータを３ＧＰＰ  ＱｏＳパラメータにマップする（ステップ２２０）。このマッピングは、上の表２に従って行うことができる。最後に、マッピング・エンティティは、マップされた３ＧＰＰ  ＱｏＳパラメータを含む３ＧＰＰ  ＱｏＳ  ＩＥを出力する（ステップ２３０）。マッピング・エンティティは、メディア無依存ハンドオーバー機能（Ｍｅｄｉａ  Ｉｎｄｅｐｅｎｄｅｎｔ  Ｈａｎｄｏｖｅｒ  Ｆｕｎｃｔｉｏｎ：ＭＩＨＦ）または同様のものなどの、任意のエンティティであることができる。
【００１７】
図４は、ここに記載されたＱｏＳパラメータのマッピングを実施するように構成されるＷＴＲＵ４００およびアクセス・ポイント４０５である。ＷＴＲＵ４００は、プロセッサー４１０、ＭＩＨ機能４１５、および各々が異なる無線アクセス技術およびプロトコルを使用して動作するように構成される、複数の送受信機４２０ａ．．．４２０ｎを含む。プロセッサー４１０は、図１および送受信機４２０ａ．．．４２０ｎに関連付けられた個々のアクセス技術に従ってプロトコル・スタックを動作するように構成される。さらに、プロセッサー４１０およびＭＩＨ機能４１５は、図３および図４ならびに上の表２に従って、アクセス技術のＱｏＳパラメータをＩＥＥＥ８０２．２１リンクＱｏＳパラメータにマップする能力がある。
【００１８】
アクセス・ポイント４０５は、プロセッサー４２５、ＭＩＨ機能４３０、および送受信機４３５を含む。アクセス・ポイント４０５は、エア・インターフェイス４４０を介してＷＴＲＵ４００と通信する。ＷＴＲＵ４００は、種々の無線アクセス技術およびプロトコルを使用する複数のアクセス・ポイントと通信することができる。アクセス・ポイント４０５のプロセッサー４２５は、図１および典型的には１つの下の層アクセス技術スタックに従ってプロトコル・スタックを動作するように構成されるが、複数のアクセス技術スタックがアクセス・ポイント４０５によって実施することができる。さらに、プロセッサー４２５およびＭＩＨ機能４３０は、図３および図４ならびに上の表２に従って、アクセス技術のＱｏＳパラメータをＩＥＥＥ８０２．２１リンクＱｏＳパラメータにマップする能力がある。
【００１９】
一実施形態においては、アクセス・ポイント４０５は３ＧＰＰ  ＵＭＴＳ基地局である。ＷＴＲＵ４００は、エア・インターフェイス４４０を介してアクセス・ポイント４０５と通信するために３ＧＰＰ  ＵＭＴＳ送受信機（複数の送受信機４２０ａ．．．４２０ｎの内の１つ）を含む。アクセス・ポイント４０５のＭＩＨ機能４３０は、図３および図４ならびに表２に従って、３ＧＰＰＱｏＳパラメータをＩＥＥＥ８０２．２１リンクＱｏＳパラメータにマップするように構成される。マップされたパラメータは、アクセス・ポイント４０５において局所的に、またはＭＩＨサーバー（ＭＩＨＳ）４４５に格納することができる。ＭＩＨＳ４４５はさらに、ＩＥＥＥ８０２．２１リンクＱｏＳパラメータを様々なアクセス・ネットワークに転送する（独立に、または要求に対応して）ことによりモビリティ管理を容易にすることができる。
【００２０】
本発明の特徴および要素が特定の組み合わせにて好適な実施形態において記載されているが、各特徴または要素は、好適な実施形態の他の特徴および要素なしで単独に、または本発明の他の特徴および要素のあるなしに拘わらず様々な組み合わせにて使用することができる。本発明において提供される方法またはフロー図は、汎用目的のコンピューターまたはプロセッサーによる実行のための、コンピューター読取可能記憶装置媒体にて有体的に具体化されるコンピューター・プログラム、ソフトウェア、またはファームウェアにおいて実施することができる。コンピューター読取可能記憶装置媒体の例としては、リード・オンリー・メモリ（Ｒｅａｄ  Ｏｎｌｙ  Ｍｅｍｏｒｙ：ＲＯＭ）、ランダム・アクセス・メモリ（Ｒａｎｄｏｍ  Ａｃｃｅｓｓ  Ｍｅｍｏｒｙ：ＲＡＭ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびデジタル多用途ディスク（Ｄｉｇｉｔａｌ  Ｖｅｒｓａｔｉｌｅ  Ｄｉｓｋ：ＤＶＤ）などの光学媒体が含まれる。
【００２１】
適切なプロセッサーの例としては、汎用目的プロセッサー、特殊目的プロセッサー、従来のプロセッサー、デジタル信号プロセッサー（Ｄｉｇｉｔａｌ  Ｓｉｇｎａｌ  Ｐｒｏｃｅｓｓｏｒ：ＤＳＰ）、複数のマイクロプロセッサー、ＤＳＰコアに関連付けられた１つまたは複数のマイクロプロセッサー、コントローラー、マイクロコントローラー、特定用途向けＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ：ＦＰＧＡ）回路、他の任意のタイプの集積回路（Ｉｎｔｅｇｒａｔｅｄ  Ｃｉｒｃｕｉｔ：ＩＣ）、および／または状態マシンが含まれる。
【００２２】
ソフトウェアに関連付けられたプロセッサーは、無線送受信ユニット（Ｗｉｒｅｌｅｓｓ  Ｔｒａｎｓｍｉｔ  Ｒｅｃｅｉｖｅ  Ｕｎｉｔ：ＷＴＲＵ）、ユーザー機器（Ｕｓｅｒ  Ｅｑｕｉｐｍｅｎｔ：ＵＥ）、端末、基地局、無線ネットワーク・コントローラー（Ｒａｄｉｏ  Ｎｅｔｗｏｒｋ  Ｃｏｎｔｒｏｌｌｅｒ：ＲＮＣ）、または任意のホスト・コンピューターにおける使用のための無線周波数送受信機を実施するために使用することができる。ＷＴＲＵは、カメラ、ビデオ・カメラ・モジュール、テレビ電話、スピーカーフォン、振動デバイス、スピーカー、マイクロフォン、テレビ送受信機、ハンズフリー・ハンドセット、キーボード、ブルートゥース（Ｂｌｕｅｔｏｏｔｈ（登録商標））モジュール、周波数変調（ＦＭ）無線ユニット、液晶表示（Ｌｉｑｕｉｄ  Ｃｒｙｓｔａｌ  Ｄｉｓｐｌａｙ：ＬＣＤ）表示ユニット、機発光ダイオード（Ｏｒｇａｎｉｃ  Ｌｉｇｈｔ−Ｅｍｉｔｔｉｎｇ  Ｄｉｏｄｅ：有ＯＬＥＤ）表示ユニット、デジタル音楽プレーヤー、メディア・プレーヤー、テレビゲーム・プレーヤー・モジュール、インターネット・ブラウザー、ならびに／または任意の無線ＬＡＮ（ＷＬＡＮ）モジュールなどの、ハードウェアおよび／またはソフトウェアにて実施されるモジュールと共に使用することができる。
【００２３】
実施形態
１．複数の第３世代パートナーシップ・プロジェクト（３ＧＰＰ）サービス品質（ＱｏＳ）パラメータを含む３ＧＰＰ  ＱｏＳ情報要素を受信するように構成された受信機
を備えた無線送受信ユニット（ＷＴＲＵ）。
２．メディア無依存ハンドオーバー（ＭＩＨ）機能
をさらに備えた実施形態１のＷＴＲＵ。
３．前記ＭＩＨ機能は、前記受信機に動作可能に結合された実施形態２のＷＴＲＵ。
４．前記ＭＩＨ機能は、プロトコル・スタックにおける層である実施形態２のＷＴＲＵ。
５．前記ＭＩＨ機能は、前記複数の３ＧＰＰ  ＱｏＳパラメータを複数のＩＥＥＥ８０２．２１リンクＱｏＳパラメータにマップするように構成された実施形態２〜５のいずれかによるＷＴＲＵ。
６．前記受信機は、複数のＩＥＥＥ８０２．２１リンクＱｏＳパラメータを含むＩＥＥＥ８０２．２１リンクＱｏＳパラメータＩＥを受信するようにさらに構成された実施形態２〜６のいずれかによるＷＴＲＵ。
７．前記ＭＩＨ機能は、前記複数のＩＥＥＥ８０２．２１リンクＱｏＳパラメータを複数の３ＧＰＰ  ＱｏＳパラメータにマップするようにさらに構成された実施形態２〜７のいずれかによるＷＴＲＵ。
８．前記プロセッサーに動作可能に結合された送信機
をさらに備えた実施形態２〜８のいずれかによるＷＴＲＵ。
９．前記送信機は、前記複数のＩＥＥＥ８０２．２１リンクＱｏＳパラメータの少なくとも１つを送信するように構成された実施形態８によるＷＴＲＵ。
１０．前記送信機は、前記複数の３ＧＰＰ  ＱｏＳパラメータの少なくとも１つを送信するように構成された実施形態８〜９のいずれかによるＷＴＲＵ。
１１．前記ＭＩＨ機能は、会話ＱｏＳクラス、ストリーミングＱｏＳクラス、対話型ＱｏＳクラス、またはバックグラウンドＱｏＳクラスを示す３ＧＰＰ  ＱｏＳパラメータを、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータとマップするようにさらに構成された実施形態２〜１０のいずれかによるＷＴＲＵ。
１２．前記ＭＩＨ機能は、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータを、スループットＩＥＥＥ８０２．２１リンクＱｏＳパラメータとマップするようにさらに構成された実施形態２〜１１のいずれかによるＷＴＲＵ。
１３．前記ＭＩＨ機能は、会話型ＱｏＳクラスまたはストリーミングＱｏＳクラスに関連付けられた上りリンク／下りリンクに対する保証ビットレート３ＧＰＰ  ＱｏＳパラメータを、スループットＩＥＥＥ８０２．２１リンクＱｏＳパラメータとマップするようにさらに構成された実施形態２〜１２のいずれかによるＷＴＲＵ。
１４．前記ＭＩＨ機能は、サービス・データ・ユニット（ＳＤＵ）誤り比率３ＧＰＰ  ＱｏＳパラメータおよび残存ビット誤り率３ＧＰＰ  ＱｏＳパラメータを、リンク・パケット誤り率ＩＥＥＥ８０２．２１リンクＱｏＳパラメータとマップするようにさらに構成された実施形態２〜１３のいずれかによるＷＴＲＵ。
１５．前記ＭＩＨ機能は、会話型ＱｏＳクラスまたはストリーミングＱｏＳクラスに関連付けられた転送遅延３ＧＰＰ  ＱｏＳパラメータを、ＣｏＳ最小パケット転送遅延ＩＥＥＥ８０２．２１リンクＱｏＳパラメータとマップするようにさらに構成された実施形態２〜１４のいずれかによるＷＴＲＵ。
１６．前記ＭＩＨ機能は、会話型ＱｏＳクラスまたはストリーミングＱｏＳクラスに関連付けられた転送遅延３ＧＰＰ  ＱｏＳパラメータを、ＣｏＳ平均パケット転送遅延ＩＥＥＥ８０２．２１リンクＱｏＳパラメータとマップするようにさらに構成された実施形態２〜１５のいずれかによるＷＴＲＵ。
１７．前記ＭＩＨ機能は、会話型ＱｏＳクラスまたはストリーミングＱｏＳクラスに関連付けられた最大転送遅延３ＧＰＰ  ＱｏＳパラメータを、ＣｏＳ最大パケット転送遅延ＩＥＥＥ８０２．２１リンクＱｏＳパラメータとマップするようにさらに構成された実施形態２〜１６のいずれかによるＷＴＲＵ。
１８．前記ＭＩＨ機能は、ストリーミングＱｏＳクラスに関連付けられた遅延変動３ＧＰＰ  ＱｏＳパラメータを、ＣｏＳパケット転送遅延ジッターＩＥＥＥ８０２．２１リンクＱｏＳパラメータとマップするようにさらに構成された実施形態２〜１７のいずれかによるＷＴＲＵ。
１９．前記ＭＩＨ機能は、残存ビット誤り率３ＧＰＰ  ＱｏＳパラメータを、ＣｏＳパケット損失率ＩＥＥＥ８０２．２１リンクＱｏＳパラメータとマップするようにさらに構成された実施形態２〜１８のいずれかによるＷＴＲＵ。
２０．前記ＭＩＨ機能は、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータを、会話ＱｏＳクラス、ストリーミングＱｏＳクラス、対話型ＱｏＳクラス、またはバックグラウンドＱｏＳクラスを示す３ＧＰＰ  ＱｏＳパラメータとマップするようにさらに構成された実施形態２〜１９のいずれかによるＷＴＲＵ。
２１．前記ＭＩＨ機能は、スループットＩＥＥＥ８０２．２１リンクＱｏＳパラメータを、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータの少なくとも１つとマップするようにさらに構成された実施形態２〜２０のいずれかによるＷＴＲＵ。
２２．前記ＭＩＨ機能は、スループットＩＥＥＥ８０２．２１リンクＱｏＳパラメータを、会話型ＱｏＳクラスまたはストリーミングＱｏＳクラスに関連付けられた少なくとも１つの上りリンク／下りリンクに対する保証ビットレート３ＧＰＰ  ＱｏＳパラメータとマップするようにさらに構成された実施形態２〜２１のいずれかによるＷＴＲＵ。
２３．前記ＭＩＨ機能は、リンク・パケット誤り率ＩＥＥＥ８０２．２１リンクＱｏＳパラメータを、サービス・データ・ユニット（ＳＤＵ）誤り比率３ＧＰＰ  ＱｏＳパラメータおよび残存ビット誤り率３ＧＰＰ  ＱｏＳパラメータの少なくとも１つとマップするようにさらに構成された実施形態２〜２２のいずれかによるＷＴＲＵ。
２４．前記ＭＩＨ機能は、ＣｏＳ最小パケット転送遅延ＩＥＥＥ８０２．２１リンクＱｏＳパラメータを、会話型ＱｏＳクラスまたはストリーミングＱｏＳクラスに関連付けられた転送遅延３ＧＰＰ  ＱｏＳパラメータとマップするようにさらに構成された実施形態２〜２３のいずれかによるＷＴＲＵ。
２５．前記ＭＩＨ機能は、ＣｏＳ平均パケット転送遅延ＩＥＥＥ８０２．２１リンクＱｏＳパラメータを、会話型ＱｏＳクラスまたはストリーミングＱｏＳクラスに関連付けられた転送遅延３ＧＰＰ  ＱｏＳパラメータとマップするようにさらに構成された実施形態２〜２４のいずれかによるＷＴＲＵ。
２６．前記ＭＩＨ機能は、ＣｏＳ最大パケット転送遅延ＩＥＥＥ８０２．２１リンクＱｏＳパラメータを、会話型ＱｏＳクラスまたはストリーミングＱｏＳクラスに関連付けられた最大転送遅延３ＧＰＰ  ＱｏＳパラメータ最大の転送遅延３ＧＰＰ  ＱｏＳパラメータとマップするようにさらに構成された実施形態２〜２５のいずれかによるＷＴＲＵ。
２７．前記ＭＩＨ機能は、ＣｏＳパケット転送遅延ジッターＩＥＥＥ８０２．２１リンクＱｏＳパラメータを、ストリーミングＱｏＳクラスに関連付けられた遅延変動３ＧＰＰ  ＱｏＳパラメータとマップするようにさらに構成された実施形態２〜２６のいずれかによるＷＴＲＵ。
２８．前記ＭＩＨ機能は、ＣｏＳパケット損失率ＩＥＥＥ８０２．２１リンクＱｏＳパラメータを、残存ビット誤り率３ＧＰＰ  ＱｏＳパラメータとマップするようにさらに構成された実施形態２〜２７のいずれかによるＷＴＲＵ。
２９．前記ＷＴＲＵは、移動体端末である先行する実施形態のいずれかによるＷＴＲＵ。
３０．前記ＷＴＲＵは、アクセス・ポイントである実施形態１〜２８のいずれかによるＷＴＲＵ。
３１．前記ＷＴＲＵは、基地局である実施形態１〜２８のいずれかによるＷＴＲＵ。
３２．３ＧＰＰ  ＱｏＳパラメータをＩＥＥＥ８０２．２１リンクＱｏＳパラメータにマップするように構成されたＭＩＨ機能
を備えたメディア無依存ハンドオーバー（ＭＩＨ）サーバー（ＭＩＨＳ）。
３３．前記ＭＩＨ機能は、前記複数のＩＥＥＥ８０２．２１リンクＱｏＳパラメータを複数の３ＧＰＰ  ＱｏＳパラメータにマップするようにさらに構成された実施形態３２のＭＩＨＳ。
３４．前記ＭＩＨ機能は、会話ＱｏＳクラス、ストリーミングＱｏＳクラス、対話型ＱｏＳクラス、またはバックグラウンドＱｏＳクラスを示す３ＧＰＰ  ＱｏＳパラメータを、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータとマップするようにさらに構成された実施形態３２〜３３のいずれかによるＭＩＨＳ。
３５．前記ＭＩＨ機能は、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータを、スループットＩＥＥＥ８０２．２１リンクＱｏＳパラメータとマップするようにさらに構成された実施形態３２〜３４のいずれかによるＭＩＨＳ。
３６．前記ＭＩＨ機能は、会話型ＱｏＳクラスまたはストリーミングＱｏＳクラスに関連付けられた上りリンク／下りリンクに対する保証ビットレート３ＧＰＰ  ＱｏＳパラメータを、スループットＩＥＥＥ８０２．２１リンクＱｏＳパラメータとマップするようにさらに構成された実施形態３２〜３５のいずれかによるＭＩＨＳ。
３７．前記ＭＩＨ機能は、サービス・データ・ユニット（ＳＤＵ）誤り比率３ＧＰＰ  ＱｏＳパラメータおよび残存ビット誤り率３ＧＰＰ  ＱｏＳパラメータを、リンク・パケット誤り率ＩＥＥＥ８０２．２１リンクＱｏＳパラメータとマップするようにさらに構成された実施形態３２〜３６のいずれかによるＭＩＨＳ。
３８．前記ＭＩＨ機能は、会話型ＱｏＳクラスまたはストリーミングＱｏＳクラスに関連付けられた転送遅延３ＧＰＰ  ＱｏＳパラメータを、ＣｏＳ最小パケット転送遅延ＩＥＥＥ８０２．２１リンクＱｏＳパラメータとマップするようにさらに構成された実施形態３２〜３７のいずれかによるＭＩＨＳ。
３９．前記ＭＩＨ機能は、会話型ＱｏＳクラスまたはストリーミングＱｏＳクラスに関連付けられた転送遅延３ＧＰＰ  ＱｏＳパラメータを、ＣｏＳ平均パケット転送遅延ＩＥＥＥ８０２．２１リンクＱｏＳパラメータとマップするようにさらに構成された実施形態３２〜３８のいずれかによるＭＩＨＳ。
４０．前記ＭＩＨ機能は、会話型ＱｏＳクラスまたはストリーミングＱｏＳクラスに関連付けられた最大転送遅延３ＧＰＰ  ＱｏＳパラメータを、ＣｏＳ最大パケット転送遅延ＩＥＥＥ８０２．２１リンクＱｏＳパラメータとマップするようにさらに構成された実施形態３２〜３９のいずれかによるＭＩＨＳ。
４１．前記ＭＩＨ機能は、ストリーミングＱｏＳクラスに関連付けられた遅延変動３ＧＰＰ  ＱｏＳパラメータを、ＣｏＳパケット転送遅延ジッターＩＥＥＥ８０２．２１リンクＱｏＳパラメータとマップするようにさらに構成された実施形態３２〜４０のいずれかによるＭＩＨＳ。
４２．前記ＭＩＨ機能は、残存ビット誤り率３ＧＰＰ  ＱｏＳパラメータを、ＣｏＳパケット損失率ＩＥＥＥ８０２．２１リンクＱｏＳパラメータとマップするようにさらに構成された実施形態３２〜４１のいずれかによるＭＩＨＳ。
４３．前記ＭＩＨ機能は、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータを、会話ＱｏＳクラス、ストリーミングＱｏＳクラス、対話型ＱｏＳクラス、またはバックグラウンドＱｏＳクラスを示す３ＧＰＰ  ＱｏＳパラメータとマップするようにさらに構成された実施形態３２〜４２のいずれかによるＭＩＨＳ。
４４．前記ＭＩＨ機能は、スループットＩＥＥＥ８０２．２１リンクＱｏＳパラメータを、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータの少なくとも１つとマップするようにさらに構成された実施形態３２〜４３のいずれかによるＭＩＨＳ。
４５．前記ＭＩＨ機能は、スループットＩＥＥＥ８０２．２１リンクＱｏＳパラメータを、会話型ＱｏＳクラスまたはストリーミングＱｏＳクラスに関連付けられた少なくとも１つの上りリンク／下りリンクに対する保証ビットレート３ＧＰＰ  ＱｏＳパラメータとマップするようにさらに構成された実施形態３２〜４４のいずれかによるＭＩＨＳ。
４６．前記ＭＩＨ機能は、リンク・パケット誤り率ＩＥＥＥ８０２．２１リンクＱｏＳパラメータを、サービス・データ・ユニット（ＳＤＵ）誤り比率３ＧＰＰ  ＱｏＳパラメータおよび残存ビット誤り率３ＧＰＰ  ＱｏＳパラメータの少なくとも１つとマップするようにさらに構成された実施形態３２〜４５のいずれかによるＭＩＨＳ。
４７．前記ＭＩＨ機能は、ＣｏＳ最小パケット転送遅延ＩＥＥＥ８０２．２１リンクＱｏＳパラメータを、会話型ＱｏＳクラスまたはストリーミングＱｏＳクラスに関連付けられた転送遅延３ＧＰＰ  ＱｏＳパラメータとマップするようにさらに構成された実施形態３２〜４６のいずれかによるＭＩＨＳ。
４８．前記ＭＩＨ機能は、ＣｏＳ平均パケット転送遅延ＩＥＥＥ８０２．２１リンクＱｏＳパラメータを、会話型ＱｏＳクラスまたはストリーミングＱｏＳクラスに関連付けられた転送遅延３ＧＰＰ  ＱｏＳパラメータとマップするようにさらに構成された実施形態３２〜４７のいずれかによるＭＩＨＳ。
４９．前記ＭＩＨ機能は、ＣｏＳ最大パケット転送遅延ＩＥＥＥ８０２．２１リンクＱｏＳパラメータを、会話型ＱｏＳクラスまたはストリーミングＱｏＳクラスに関連付けられた最大転送遅延３ＧＰＰ  ＱｏＳパラメータとマップするようにさらに構成された実施形態３２〜４８のいずれかによるＭＩＨＳ。
５０．前記ＭＩＨ機能は、ＣｏＳパケット転送遅延ジッターＩＥＥＥ８０２．２１リンクＱｏＳパラメータを、ストリーミングＱｏＳクラスに関連付けられた遅延変動３ＧＰＰ  ＱｏＳパラメータとマップするようにさらに構成された実施形態３２〜４９のいずれかによるＭＩＨＳ。
５１．前記ＭＩＨ機能は、ＣｏＳパケット損失率ＩＥＥＥ８０２．２１リンクＱｏＳパラメータを、残存ビット誤り率３ＧＰＰ  ＱｏＳパラメータとマップするようにさらに構成された実施形態３２〜４９のいずれかによるＭＩＨＳ。
【図１】
2010529815.tif 000005
【図２】
2010529815.tif 000006
【図３】
2010529815.tif 000007
【図４】
2010529815.tif 000008
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
会話ＱｏＳクラス、ストリーミングＱｏＳクラス、対話型ＱｏＳクラス、またはバックグラウンドＱｏＳクラスを示す第３世代パートナーシップ・プロジェクト（３ＧＰＰ）サービス品質（ＱｏＳ）パラメータを、Ｓｕｐｐｏｒｔｅｄ  Ｎｕｍｂｅｒ  ｏｆ  Ｃｌａｓｓ  ｏｆ  Ｓｅｒｖｉｃｅ（ＣｏＳ）ＩＥＥＥ８０２．２１リンクＱｏＳパラメータとマップするように構成されたプロセッサー
を備えたことを特徴とする無線送受信ユニット（ＷＴＲＵ）。
【請求項２】
前記プロセッサーは、ピーク・スループット３ＧＰＰ  ＱｏＳパラメータ、平均スループット３ＧＰＰ  ＱｏＳパラメータ、および上りリンク／下りリンクに対する最大ビットレート３ＧＰＰ  ＱｏＳパラメータを、スループットＩＥＥＥ８０２．２１リンクＱｏＳパラメータとマップするようにさらに構成されたことを特徴とする請求項１に記載のＷＴＲＵ。
【請求項３】
前記プロセッサーは、会話型ＱｏＳクラスまたはストリーミングＱｏＳクラスに関連付けられた上りリンク／下りリンクに対する保証ビットレート３ＧＰＰ  ＱｏＳパラメータを、スループットＩＥＥＥ８０２．２１リンクＱｏＳパラメータとマップするようにさらに構成されたことを特徴とする請求項１に記載のＷＴＲＵ。
【請求項４】
前記プロセッサーは、サービス・データ・ユニット（ＳＤＵ）誤り比率３ＧＰＰ  ＱｏＳパラメータおよび残存ビット誤り率３ＧＰＰ  ＱｏＳパラメータを、リンク・パケット誤り率ＩＥＥＥ８０２．２１リンクＱｏＳパラメータとマップするようにさらに構成されたことを特徴とする請求項３に記載のＷＴＲＵ。
【請求項５】
前記プロセッサーは、会話型ＱｏＳクラスまたはストリーミングＱｏＳクラスに関連付けられた転送遅延３ＧＰＰ  ＱｏＳパラメータを、ＣｏＳ最小パケット転送遅延ＩＥＥＥ８０２．２１リンクＱｏＳパラメータとマップするようにさらに構成されたことを特徴とする請求項４に記載のＷＴＲＵ。
【請求項６】
前記プロセッサーは、会話型ＱｏＳクラスまたはストリーミングＱｏＳクラスに関連付けられた転送遅延３ＧＰＰ  ＱｏＳパラメータを、ＣｏＳ平均パケット転送遅延ＩＥＥＥ８０２．２１リンクＱｏＳパラメータとマップするようにさらに構成されたことを特徴とする請求項５に記載のＷＴＲＵ。
【請求項７】
前記プロセッサーは、会話型ＱｏＳクラスまたはストリーミングＱｏＳクラスに関連付けられた最大転送遅延３ＧＰＰ  ＱｏＳパラメータを、ＣｏＳ最大パケット転送遅延ＩＥＥＥ８０２．２１リンクＱｏＳパラメータとマップするようにさらに構成されたことを特徴とする請求項６に記載のＷＴＲＵ。
【請求項８】
前記プロセッサーは、ストリーミングＱｏＳクラスに関連付けられた遅延変動３ＧＰＰ  ＱｏＳパラメータを、ＣｏＳパケット転送遅延ジッターＩＥＥＥ８０２．２１リンクＱｏＳパラメータとマップするようにさらに構成されたことを特徴とする請求項７に記載のＷＴＲＵ。
【請求項９】
前記プロセッサーは、残存ビット誤り率３ＧＰＰ  ＱｏＳパラメータを、ＣｏＳパケット損失率ＩＥＥＥ８０２．２１リンクＱｏＳパラメータとマップするようにさらに構成されたことを特徴とする請求項８に記載のＷＴＲＵ。
【請求項１０】
ＩＥＥＥ８０２．２１スループット・パラメータの値に基づいて、第３世代パートナーシップ・プロジェクト（３ＧＰＰ）ピーク・スループット・パラメータ、３ＧＰＰ平均スループット・パラメータ、または３ＧＰＰの上りリンク／下りリンクに対する最大ビットレート・パラメータに対する値を発生するように構成されたプロセッサーと、
前記３ＧＰＰピーク・スループット・パラメータ、前記３ＧＰＰ平均スループット・パラメータ、または前記３ＧＰＰの上りリンク／下りリンクに対する最大ビットレート・パラメータに対する前記発生した値に基づいて無線データを送信または受信するように構成された送受信機と
を備えたことを特徴とする無線送受信ユニット（ＷＴＲＵ）。
【請求項１１】
前記プロセッサーは、ＩＥＥＥ８０２．２１リンク・パケット誤り率パラメータの値に基づいて、３ＧＰＰサービス・データ・ユニット（ＳＤＵ）誤り比率パラメータまたは３ＧＰＰ残存ビット誤り率パラメータに対する値を発生するようにさらに構成され、
前記送受信機は、前記３ＧＰＰ  ＳＤＵ誤り比率パラメータまたは前記３ＧＰＰ残存ビット誤り率パラメータに対する前記発生した値に基づいて無線データを送信または受信するようにさらに構成されたことを特徴とする請求項１０に記載のＷＴＲＵ。
【請求項１２】
前記プロセッサーは、ＩＥＥＥ８０２．２１最小パケット転送遅延パラメータまたはＩＥＥＥ８０２．２１平均パケット転送遅延パラメータの値に基づいて、３ＧＰＰ転送遅延パラメータに対する値を発生するようにさらに構成され、
前記送受信機は、前記３ＧＰＰ転送遅延パラメータに対する前記発生した値に基づいて無線データを送信または受信するようにさらに構成されたことを特徴とする請求項１０に記載のＷＴＲＵ。
【請求項１３】
ＩＥＥＥ８０２．２１最大パケット転送遅延パラメータの値に基づいて、第３世代パートナーシップ・プロジェクト（３ＧＰＰ）最大転送遅延パラメータに対する値を発生するように構成されたプロセッサーと、
前記３ＧＰＰ最大転送遅延パラメータに対する前記発生した値に基づいて無線データを送信または受信するように構成された送受信機と
を備えたことを特徴とする無線送受信ユニット（ＷＴＲＵ）。
【請求項１４】
前記プロセッサーは、ＩＥＥＥ８０２．２１パケット転送遅延ジッター・パラメータの値に基づいて、３ＧＰＰ遅延変動パラメータに対する値を発生するようにさらに構成され、
前記送受信機は、前記３ＧＰＰ遅延変動パラメータに対する前記発生した値に基づいて無線データを送信または受信するようにさらに構成されたことを特徴とする請求項１３に記載のＷＴＲＵ。
【請求項１５】
前記プロセッサーは、ＩＥＥＥ８０２．２１パケット損失率パラメータに基づいて、３ＧＰＰ残存ビット誤り率パラメータまたは３ＧＰＰサービス・データ・ユニット（ＳＤＵ）誤り率パラメータに対する値を発生するようにさらに構成され、
前記送受信機は、前記３ＧＰＰ残存ビット誤り率パラメータまたは前記３ＧＰＰパケット損失率パラメータに対する前記発生した値に基づいて無線データを送信または受信するようにさらに構成されたことを特徴とする請求項１３に記載のＷＴＲＵ。
【国際調査報告】
2010529815.tif 000009
2010529815.tif 000010
2010529815.tif 000011